【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
変動表示を行ない、遊技者にとって有利な有利状態に制御可能な遊技機であって、
所定状態において遊技媒体が進入可能となる可変手段と、
前記可変手段内に設けられ、遊技媒体が進入可能な特定領域と、
変動表示結果が特定表示結果となったときに、前記有利状態に制御する第１状態制御手段と、
変動表示結果が所定表示結果となったときに、前記所定状態に制御して前記可変手段内の前記特定領域に遊技媒体が進入可能な状態とし、当該所定状態において前記特定領域に遊技媒体が進入したことに基づいて前記有利状態に制御する第２状態制御手段と、
変動表示に関する情報を保留記憶情報として記憶する保留記憶手段と、
未だ開始されていない変動表示について前記特定表示結果となるか、または、前記所定表示結果となるかを判定する先読み判定手段と、
前記先読み判定手段の判定結果に基づいて、特別演出を実行可能な特別演出手段と、を備え、
前記所定状態は、所定期間が経過したこと、または、前記可変手段に所定数の遊技媒体が進入したことに基づいて終了し、
前記保留記憶手段は、複数の保留記憶情報を記憶可能であり、
前記特別演出手段は、
前記特定表示結果となると判定された保留記憶情報の数と、前記所定表示結果となると判定された保留記憶情報の数との合計数が複数であることに基づいて、前記特別演出を実行可能であり、
前記特別演出を実行した後は、前記特別演出を実行するときの前記先読み判定手段による判定の対象とされたすべての保留記憶情報に基づく変動表示が終了するまで、前記特別演出を新たに実行することを制限し、
前記特別演出を実行するときに、前記保留記憶手段において、前記特定表示結果となると判定された保留記憶情報、および、前記所定表示結果となると判定された保留記憶情報が記憶されているときと、前記所定表示結果となると判定された保留記憶情報のみが記憶されているときとで、実行する前記特別演出の演出態様を異ならせることが可能である、遊技機。
【手続補正２】
【補正対象書類名】明細書
【補正対象項目名】０００９
【補正方法】変更
【補正の内容】
【０００９】
（Ａ）  変動表示を行ない、遊技者にとって有利な有利状態（大当り遊技状態等）に制御可能な遊技機（パチンコ遊技機１等）であって、
所定状態において遊技媒体が進入可能となる可変手段と（Ｖ判定入賞装置８７等）、
前記可変手段内に設けられ、遊技媒体が進入可能な特定領域（Ｖ入賞領域８７０等）と、
変動表示結果が特定表示結果となったときに、前記有利状態（図柄大当り等）に制御する第１状態制御手段（遊技制御用マイクロコンピュータ５６０、図９のＳ３０５〜Ｓ３０７等）と、
変動表示結果が所定表示結果となったときに、前記所定状態に制御して前記可変手段内の前記特定領域に遊技媒体が進入（Ｖ入賞等）可能な状態（小当り状態等）とし、当該所定状態において前記特定領域に遊技媒体が進入したことに基づいて前記有利状態（小当り経由大当り等）に制御する第２状態制御手段（遊技制御用マイクロコンピュータ５６０、図９のＳ３０８〜Ｓ３１０，Ｓ３０５〜Ｓ３０７等）と、
変動表示に関する情報を保留記憶情報として記憶する保留記憶手段（遊技制御用マイクロコンピュータ５６０、ＲＡＭ５５、保留記憶バッファ等）と、
未だ開始されていない変動表示について前記特定表示結果となるか、または、前記所定表示結果となるかを判定する先読み判定手段（遊技制御用マイクロコンピュータ５６０、図１１のＳ１２１５，Ｓ１２２５等）と、
前記先読み判定手段の判定結果に基づいて、特別演出（図２１の保留連報知演出等）を実行可能な特別演出手段（演出制御用マイクロコンピュータ１００、図２７のＳ８６３，Ｓ８６４、図２８のＳ８７３，Ｓ８７４等）と、を備え、
前記所定状態は、所定期間（０．１秒×１０回の開放および１秒間の閉鎖を繰返す期間等）が経過したこと、または、前記可変手段に所定数（１０個等）の遊技媒体が進入したことに基づいて終了し、
前記保留記憶手段は、複数の保留記憶情報を記憶可能であり、
前記特別演出手段は、
前記特定表示結果となると判定された保留記憶情報の数と、前記所定表示結果となると判定された保留記憶情報の数との合計数が複数であることに基づいて、前記特別演出を実行可能であり（図２１（Ｂ），（Ｃ），（Ｅ）、図２５のＳ８５５〜Ｓ８５７、図２７のＳ８６３，Ｓ８６４、図２８のＳ８７３，Ｓ８７４等）、
前記特別演出を実行した後は、前記特別演出を実行するときの前記先読み判定手段による判定の対象とされたすべての保留記憶情報に基づく変動表示が終了するまで、前記特別演出を新たに実行することを制限し、
前記特別演出を実行するときに、前記保留記憶手段において、前記特定表示結果となると判定された保留記憶情報、および、前記所定表示結果となると判定された保留記憶情報が記憶されているときと、前記所定表示結果となると判定された保留記憶情報のみが記憶されているときとで、実行する前記特別演出の演出態様を異ならせることが可能である（図柄大当りとなる保留記憶情報および小当り経由大当りとなる保留記憶情報の合計数が複数ある場合と、小当り経由大当りとなる保留記憶情報のみが複数ある場合とで保留連報知演出の演出態様が異なる［保留連報知演出の演出態様変化の変形例］等）。
（１）  変動表示を行ない、遊技者にとって有利な有利状態（大当り遊技状態等）に制御可能な遊技機（パチンコ遊技機１等）であって、
所定状態において遊技媒体が進入可能となる可変入賞手段と（Ｖ判定入賞装置８７等）、
前記可変入賞手段内に設けられ、遊技媒体が進入可能な特定領域（Ｖ入賞領域８７０等）と、
変動表示結果が特定表示結果となったことに基づいて、有利状態（図柄大当り等）に制御する第１状態制御手段（遊技制御用マイクロコンピュータ５６０、図９のＳ３０５〜Ｓ３０７等）と、
変動表示結果が所定表示結果となったことに基づいて、前記所定状態に制御して前記可変入賞手段内の前記特定領域に遊技媒体が進入（Ｖ入賞等）可能な状態（小当り状態等）とし、当該所定状態において前記特定領域に遊技媒体が進入したことに基づいて前記有利状態（小当り経由大当り等）に制御する第２状態制御手段（遊技制御用マイクロコンピュータ５６０、図９のＳ３０８〜Ｓ３１０，Ｓ３０５〜Ｓ３０７等）と、
変動表示に関する情報を保留記憶情報として記憶する保留記憶手段（遊技制御用マイクロコンピュータ５６０、ＲＡＭ５５、保留記憶バッファ等）と、
未だ開始されていない変動表示について前記特定表示結果となるか、または、前記所定表示結果となるかを判定する先読み判定手段（遊技制御用マイクロコンピュータ５６０、図１１のＳ１２１５，Ｓ１２２５等）と、
前記先読み判定手段の判定結果に基づいて、特別演出（図２１の保留連報知演出等）を実行可能な特別演出手段（演出制御用マイクロコンピュータ１００、図２７のＳ８６３，Ｓ８６４、図２８のＳ８７３，Ｓ８７４等））とを備え、
前記所定状態は、所定期間（０．１秒×１０回の開放および１秒間の閉鎖を繰返す期間等）が経過したこと、または、前記可変入賞手段に所定数（１０個等）の遊技媒体が進入したことに基づいて終了し、
前記特別演出手段は、前記特定表示結果となると判定された保留記憶情報と、前記所定表示結果となると判定された保留記憶情報との少なくともいずれか一方が含まれていることに基づいて、前記特別演出を実行可能である（図２１（Ｂ），（Ｃ），（Ｅ）、図２５のＳ８５５〜Ｓ８５７、図２７のＳ８６３，Ｓ８６４、図２８のＳ８７３，Ｓ８７４等）。